(57)【要約】【課題】ワイヤロープ支柱の視認性を簡単に向上させることができるワイヤロープ支柱用カバーを提供する。【解決手段】ワイヤロープ支柱カバー１０は、ワイヤロープ配設部２１の高さ方向の少なくとも一部において周面を覆うワイヤロープ配設部カバー部１１と、このワイヤロープ配設部カバー部１１に連続して設けられ、支持部２２の高さ方向の少なくとも一部において周面を覆う支持部カバー部１２とを備えている。ワイヤロープ配設部カバー部１１には、ワイヤロープ配設部２１のＵ型溝２１Ａが設けられた領域に対応して、上端部から縦方向に切り欠かれた一対のワイヤロープ用切り欠き部１１Ａが形成されている。支持部カバー部１２には、下端部から各ワイヤロープ用切り欠き部１１Ａまで高さ方向に沿って切断する２本の切断部１２Ａが形成されている。【選択図】図３
0003223786.tif 000002
【実用新案登録請求の範囲】
【請求項１】
ワイヤロープを配設するＵ型溝が設けられたワイヤロープ配設部と、このワイヤロープ配設部を所定の高さに支持する支持部とを有するワイヤロープ支柱に対して取り付けられるものであり、
前記ワイヤロープ配設部の高さ方向の少なくとも一部において周面を覆い、前記Ｕ型溝が設けられた領域に対応して上端部から縦方向に切り欠かれた一対のワイヤロープ用切り欠き部が形成されたワイヤロープ配設部カバー部と、
このワイヤロープ配設部カバー部に連続して設けられ、前記支持部の高さ方向の少なくとも一部において周面を覆い、下端部から前記ワイヤロープ用切り欠き部の少なくとも一方まで高さ方向に沿って切断する少なくとも１本の切断部が形成された支持部カバー部と
を備えたことを特徴とするワイヤロープ支柱カバー。
【請求項２】
前記切断部は、前記一対のワイヤロープ用切り欠き部にそれぞれ対応して２本設けられるか、又は、前記ワイヤロープ用切り欠き部の一方に対応して１本設けられたことを特徴とする請求項１記載のワイヤロープ支柱カバー。
【請求項３】
前記ワイヤロープ配設部カバー部及び前記支持部カバー部の外周面の少なくとも一部には、反射部材が配設されたことを特徴とする請求項１又は請求項２記載のワイヤロープ支柱カバー。
【請求項４】
前記支持部カバー部の高さ方向の長さは、前記支持部の高さ方向の長さよりも短いことを特徴とする請求項１から請求項３のいずれか１に記載のワイヤロープ支柱カバー。
【請求項５】
前記ワイヤロープ配設部カバー部及び前記支持部カバー部の内周面の少なくとも一部には、前記ワイヤロープ支柱に接着するための接着部材が配設されたことを特徴とする請求項１から請求項４いずれか１に記載のワイヤロープ支柱カバー。
【請求項６】
前記支持部カバー部の外側から締め付けて、前記支持部カバー部を前記支持部に固定する固定部材を備えたことを特徴とする請求項１から請求項５いずれか１に記載のワイヤロープ支柱カバー。
【考案の詳細な説明】
【技術分野】
【０００１】
本考案は、道路の中央分離帯に設置されているワイヤロープ支柱に取り付けるカバーに関するものである。
【背景技術】
【０００２】
高速道路等では、中央分離帯、合流、分流地点等に車線誘導のための誘導標識柱として車線分離標が設置されている。車線分離標としては、例えば、路面に設置される台座部の上に、軟質合成樹脂からなる筒状の標示部が立設され、その標示部の外周面に帯状の反射部材が貼着されたものが知られている（例えば、特許文献１参照）。これはラバーポールとも言われるものであり、標示部を軟質合成樹脂により形成するのは、車両が接触したり踏みつけても柔軟に屈曲変形して復元するようにすると共に、車両への傷やショックを和らげるためである。
【０００３】
また、近年では、重大事故につながりやすい暫定二車線区間での高速道路の正面衝突事故の緊急対策として、いわゆるラバーポールに代えて、ワイヤロープを設置することが進められている。ワイヤロープは、例えば、設置場所に間隔を開けてワイヤロープ支柱を配設し、ワイヤロープ支柱に設けられたＵ型溝に配設されている（例えば、非特許文献１参照）。しかしながら、このワイヤロープ支柱は、表面に亜鉛めっきがされているので、特に、夜間は見えにくいという問題があった。視認性を高める方法としては、例えば、ワイヤロープ支柱の表面を蛍光色などの目立つ色に塗装することが考えられるが、塗装作業は雨等の天気に左右され、作業を予定通り進めることが難しいという問題があった。また、塗装するには、ワイヤロープ支柱の汚れを落としたのち、刷毛で塗るなどの作業が必要となり、手間と時間がかかるために、道路上で作業するのは危ないという問題があった。
【先行技術文献】
【特許文献】
【０００４】
【特許文献１】特開平１０−１４７９１３号公報
【非特許文献】
【０００５】
【非特許文献１】暫定二車線の高速道路のワイヤロープ設置方針について（道路局高速道路課道路局国道・技術課  平成３０年６月１５日）
【考案の概要】
【考案が解決しようとする課題】
【０００６】
本考案は、このような問題に基づきなされたものであり、ワイヤロープ支柱の視認性を簡単に向上させることができるワイヤロープ支柱用カバーを提供することを目的とする。
【課題を解決するための手段】
【０００７】
本考案のワイヤロープ支柱用カバーは、ワイヤロープを配設するＵ型溝が設けられたワイヤロープ配設部と、このワイヤロープ配設部を所定の高さに支持する支持部とを有するワイヤロープ支柱に対して取り付けられるものであり、ワイヤロープ配設部の高さ方向の少なくとも一部において周面を覆い、Ｕ型溝が設けられた領域に対応して上端部から縦方向に切り欠かれた一対のワイヤロープ用切り欠き部が形成されたワイヤロープ配設部カバー部と、このワイヤロープ配設部カバー部に連続して設けられ、支持部の高さ方向の少なくとも一部において周面を覆い、下端部からワイヤロープ用切り欠き部の少なくとも一方まで高さ方向に沿って切断する少なくとも１本の切断部が形成された支持部カバー部とを備えたものである。
【考案の効果】
【０００８】
本考案のワイヤロープ支柱カバーによれば、一対のワイヤロープ用切り欠き部が形成されたワイヤロープ配設部カバー部と、このワイヤロープ配設部カバー部に連続して設けられ、下端部からワイヤロープ用切り欠き部まで切断する少なくとも１本の切断部が形成された支持部カバー部とを備えているので、ワイヤロープ用切り欠き部の位置をワイヤロープ配設部のＵ型溝に合わせ、切断部の間を広げて、ワイヤロープ支柱カバーの中にワイヤロープ支柱を入れることができる。よって、道路に設置され、Ｕ型溝にワイヤロープが配設された既設のワイヤロープ支柱であっても、外周をワイヤロープ支柱カバーにより簡単に短時間で覆うことができる。従って、ワイヤロープ支柱カバーを蛍光色等の目立つ色とすることにより、簡単にワイヤロープ支柱の視認性を高めることができ、道路の安全性を高めることができる。
【０００９】
特に、ワイヤロープ配設部カバー部及び支持部カバー部の外周面の少なくとも一部に反射部材を配設するようにすれば、夜間における視認性をより高めることができる。
【００１０】
また、支持部カバー部の高さ方向の長さを支持部の高さ方向の長さよりも短くすれば、支持部カバー部の下端部を支持部の下端部よりも上に位置させて取り付けることにより、支持部カバー部の下端部と道路との間に隙間を設けることができ、雨水をこの隙間から排出することができる。
【００１１】
更に、ワイヤロープ配設部カバー部及び支持部カバー部の内周面の少なくとも一部に接着部材を配設するようにすれば、簡単にワイヤロープ支柱カバーをワイヤロープ支柱に固定することができる。
【００１２】
加えて、支持部カバー部の外側から締め付けて固定する固定部材を備えるようにすれば、より強固にワイヤロープ支柱カバーを固定することができる。
【図面の簡単な説明】
【００１３】
【図１】本考案の第１の実施の形態に係るワイヤロープ支柱カバーの構成を表す図である。
【図２】図１に示したワイヤロープ支柱カバーを取り付けるワイヤロープ支柱の構成を表す図である。
【図３】図１に示したワイヤロープ支柱カバーをワイヤロープ支柱に取り付けた状態を表す図である。
【図４】本考案の第２の実施の形態に係るワイヤロープ支柱カバーの構成を表す図である。
【考案を実施するための形態】
【００１４】
以下、本考案の実施の形態について、図面を参照して詳細に説明する。
【００１５】
（第１の実施の形態）
図１は、本考案の第１の実施の形態に係るワイヤロープ支柱カバー１０の構成を表すものであり、（Ａ）はワイヤロープ支柱カバー１０を立てた状態で一方向から見た構成、（Ｂ）は（Ａ）の方向から周方向に９０度回転させた方向から見た構成、（Ｃ）は（Ａ）に示したＩ−Ｉ線に沿った端面構成を拡大して表している。図２は、ワイヤロープ支柱カバー１０を取り付けるワイヤロープ支柱１の構成を表すものであり、（Ａ）は道路Ｒに設置した状態を一方向から見た構成、（Ｂ）は（Ａ）の方向から周方向に９０度回転させた方向から見た構成を表している。図３は、ワイヤロープ支柱カバー１０をワイヤロープ支柱２０に取り付けた状態を表すものであり、（Ａ）は道路Ｒに設置したワイヤロープ支柱２０に取り付けた状態を一方向から見た構成、（Ｂ）は（Ａ）の方向から周方向に９０度回転させた方向から見た構成を表している。
【００１６】
ワイヤロープ支柱カバー１０は、ワイヤロープ支柱２０に取り付けて用いるものである。ワイヤロープ支柱２０は、二車線道路で車両の飛び出しによる正面衝突事故抑止対策として道路Ｒに設置されるものであり、例えば、ワイヤロープ３０を配設するワイヤロープ配設部２１と、このワイヤロープ配設部２１を所定の高さに支持する支持部２２と、道路Ｒに埋設してワイヤロープ支柱２０を設置するための設置部（図示せず）とを有している。ワイヤロープ配設部２１及支持部２２は連続した１本の円柱状に形成されている。ワイヤロープ配設部２１は支持部２２の上に設けられており、ワイヤロープ３０を配設するＵ型溝２１Ａが高さ方向に設けられている。
【００１７】
ワイヤロープ支柱カバー１０は、ワイヤロープ配設部２１の高さ方向の少なくとも一部において周面を覆うワイヤロープ配設部カバー部１１と、このワイヤロープ配設部カバー部１１に連続して設けられ、支持部２２の高さ方向の少なくとも一部において周面を覆う支持部カバー部１２とを備えている。なお、分かりやすくするために、図３において、ワイヤロープ配設部カバー部１１及び支持部カバー部１２には梨地を付して示している。ワイヤロープ配設部カバー部１１には、ワイヤロープ配設部２１のＵ型溝２１Ａが設けられた領域に対応して、上端部から縦方向に切り欠かれた一対のワイヤロープ用切り欠き部１１Ａが形成されている。支持部カバー部１２には、一対のワイヤロープ用切り欠き部１１Ａにそれぞれ対応して、下端部から各ワイヤロープ用切り欠き部１１Ａまで高さ方向に沿って切断する２本の切断部１２Ａが形成されている。
【００１８】
すなわち、ワイヤロープ支柱カバー１０は高さ方向に沿って２つに分割されており、２つを合わせることにより、ワイヤロープ支柱２０の周面を覆うようになっている。２つを合わせた状態のワイヤロープ支柱カバー１０の形状は、例えば、ワイヤロープ支柱２０の周面に沿った円筒状であり、ワイヤロープ３０の配設位置に対応して一部が切り欠かれている。分割した片方の形状は、例えば、高さ方向に沿って切断した半円筒状である。このように、ワイヤロープ支柱カバー１０を高さ方向に沿って２つに分割することにより、道路Ｒに設置されたワイヤロープ支柱２０をワイヤロープ３０の延長方向に対して垂直方向から挟んで容易に取り付けることができる。
【００１９】
ワイヤロープ配設部カバー部１１及び支持部カバー部１２は、硬質塩化ビニールなどの硬質プラスチックにより構成することが好ましい。ワイヤロープ配設部カバー部１１及び支持部カバー部１２の外周面の色は、蛍光色などの目立つ色が好ましい。視認性を高めるためである。また、ワイヤロープ配設部カバー部１１及び支持部カバー部１２の外周面の少なくとも一部には、反射部材１３が配設されていることが好ましい。なお、分かりやすくするために、図１及び図３において、反射部材１３には網掛けを付して示している。視認性をより高めるためである。図１では支持部カバー部１２の上側に設ける場合について示したが、位置及び大きさは限定されず、支持部カバー部１２に加えて、又は、支持部カバー部１２に代えて、ワイヤロープ配設部カバー部１１に反射部材１３を設けてもよい。
【００２０】
ワイヤロープ配設部カバー部１１及び支持部カバー部１２の内周面の少なくとも一部には、ワイヤロープ支柱２０に接着するための接着部材１４が配設されていることが好ましい。簡単にワイヤロープ支柱カバー１０をワイヤロープ支柱２０に固定することができるからである。接着部材１４としては、例えば、両面テープが挙げられる。接着部材１４の配設位置は限定されないが、例えば、図１に示したように、ワイヤロープ配設部カバー部１１の上側、支持部カバー部１２の上側、及び、支持部カバー部１２の下側に設けることが好ましい。
【００２１】
また、ワイヤロープ支柱カバー１０は、例えば、支持部カバー部１２の外側から締め付けて、支持部カバー部１２を支持部２２に固定する固定部材１５を備えていることが好ましい。より強固にワイヤロープ支柱カバー１０を固定することができるからである。固定部材１５としては、例えば、結束バンドが挙げられる。固定部材１５の取り付け位置及び数は限定されないが、例えば、図１に示したように、支持部カバー部１２の上側、及び、支持部カバー部１２の下側に設けることが好ましい。
【００２２】
支持部カバー部１２の高さ方向の長さは、支持部２２の高さ方向の長さよりも短いことが好ましい。支持部カバー部１２の下端部を支持部２２の下端部よりも上に位置させて取り付けることにより、支持部カバー部、１２の下端部と道路Ｒとの間に隙間を設けることができ、雨水をこの隙間から排出することができるからである。
【００２３】
支持部カバー部１２には、切断部１２Ａに沿って、外側に突出するようにリブ状の補強部１６が設けられていることが好ましい。強度を向上させるためである。
【００２４】
このワイヤロープ支柱カバー１０は、例えば、道路Ｒに既設されているワイヤロープ支柱２０に対して次のようにして取り付ける。まず、ワイヤロープ支柱カバー１０の切断部１２Ａの間を広げて２つに分割し、ワイヤロープ用切り欠き部１１Ａの位置をワイヤロープ配設部２１のＵ型溝２１Ａに合わせて、ワイヤロープ３０の延長方向に対して垂直方向から挟み、ワイヤロープ支柱カバー１０の中にワイヤロープ支柱２０を入れる。次いで、例えば、ワイヤロープ支柱カバー１０を外周面から押えることにより、ワイヤロープ支柱カバー１０の内周面に配設された接着部材１４をワイヤロープ支柱２０に接着させて固定する。続いて、例えば、支持部カバー部１２の外側に固定部材１５を取り付けて締め付ける。これにより、固定される。
【００２５】
このように本実施の形態によれば、一対のワイヤロープ用切り欠き部１１Ａが形成されたワイヤロープ配設部カバー部１１と、このワイヤロープ配設部カバー部１１に連続して設けられ、下端部から各ワイヤロープ用切り欠き部１１Ａまで切断する２本の切断部１２Ａが形成された支持部カバー部１２とを備えているので、ワイヤロープ用切り欠き部１１Ａの位置をワイヤロープ配設部２１のＵ型溝２１Ａに合わせ、切断部１２Ａの間を広げて、ワイヤロープ支柱カバー１０の中にワイヤロープ支柱２０を入れることができる。よって、道路Ｒに設置され、Ｕ型溝２１Ａにワイヤロープ３０が配設された既設のワイヤロープ支柱２０であっても、外周をワイヤロープ支柱カバー１０により簡単に短時間で覆うことができる。従って、ワイヤロープ支柱カバー１０を蛍光色等の目立つ色とすることにより、簡単にワイヤロープ支柱２０の視認性を高めることができ、道路Ｒの安全性を高めることができる。
【００２６】
特に、ワイヤロープ配設部カバー部１１及び支持部カバー部１２の外周面の少なくとも一部に反射部材１３を配設するようにすれば、夜間における視認性をより高めることができる。
【００２７】
また、支持部カバー部１２の高さ方向の長さを支持部２２の高さ方向の長さよりも短くすれば、支持部カバー部１２の下端部を支持部２２の下端部よりも上に位置させて取り付けることにより、支持部カバー部１２の下端部と道路Ｒとの間に隙間を設けることができ、雨水をこの隙間から排出することができる。
【００２８】
更に、ワイヤロープ配設部カバー部１１及び支持部カバー部１２の内周面の少なくとも一部に接着部材１４を配設するようにすれば、簡単にワイヤロープ支柱カバー１０をワイヤロープ支柱２０に固定することができる。
【００２９】
加えて、支持部カバー部１２の外側から締め付けて固定する固定部材１５を備えるようにすれば、より強固にワイヤロープ支柱カバー１０を固定することができる。
【００３０】
（第２の実施の形態）
図４は、本考案の第２の実施の形態に係るワイヤロープ支柱カバー４０の構成を表すものであり、（Ａ）はワイヤロープ支柱カバー４０を立てた状態で一方向から見た構成、（Ｂ）は（Ａ）の方向から周方向に９０度回転させた方向から見た構成、（Ｃ）は（Ａ）に示したＩＶ−ＩＶ線に沿った端面構成を拡大して表している。
【００３１】
ワイヤロープ支柱カバー４０は、第１の実施の形態と同様に、ワイヤロープ支柱２０に取り付けて用いるものである。ワイヤロープ支柱２０の構成は第１の実施の形態で説明した通りである。また、ワイヤロープ支柱カバー４０は、支持部カバー部４２に形成される切断部４２Ａの数が異なることを除き、他は第１の実施の形態と同様の構成を有している。よって、同一の構成要素には同一の符号を付し、対応する構成要素には十の位を“４”に変えた符号を付して、その詳細な説明を省略する。
【００３２】
ワイヤロープ支柱カバー４０において、切断部４２Ａは、一対のワイヤロープ用切り欠き部１１Ａの一方に対応して１本設けられている。すなわち、ワイヤロープ支柱カバー４０は、第１の実施の形態のように分割されてなく、一対のワイヤロープ用切り欠き部１１Ａ、及び、１本の切断部４２Ａが設けられた円筒状に形成されている。このワイヤロープ支柱カバー４０では、分割部４２Ａの間を広げて、その間からワイヤロープ支柱２０を通し、ワイヤロープ支柱カバー１０の中にワイヤロープ支柱２０を入れることができるようになっている。よって、このワイヤロープ支柱カバー４０についても、第１の実施の形態と同様にして、ワイヤロープ支柱２０に取り付けることができ、第１の実施の形態と同様の効果を有することができる。
【００３３】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３４】
１０，４０…ワイヤロープ支柱カバー、１１…ワイヤロープ配設部カバー部、１１Ａ…ワイヤロープ用切り欠き部、１２，４２…支持部カバー部、１２Ａ，４２Ａ…切断部、１３…反射部材、１４…接着部材、１５…固定部材、１６…補強部、２０…ワイヤロープ支柱、２１…ワイヤロープ配設部、２１Ａ…Ｕ型溝、２２…支持部、３０…ワイヤロープ、Ｒ…道路
【図１】
0003223786.tif 000003
【図２】
0003223786.tif 000004
【図３】
0003223786.tif 000005
【図４】
0003223786.tif 000006